(57)【要約】      （修正有）【課題】降水しているときに着用することが可能であり、着用、脱ぎ、携帯及び収納が便利となるシューズ用レインカバーを提供する。【解決手段】ユーザーの靴が着用されている足部を挿入可能であり、ユーザーの足部に緊迫するためのエラスティックバンドが設けられている第１開口端１１を有する円筒状部１０と、円筒状部から延びており、第１開口端から遠ざかった側に位置し、円筒状部の裏側との開角が９０度よりも大きく、靴底に対応する第２開口端２１を有し、第２開口端にエラスティックバンド２２が設けられている延長部２０と、を含む。【選択図】図１
0003196211.tif 000002
【実用新案登録請求の範囲】
【請求項１】
ユーザーの靴が着用されている足部を挿入可能であり、ユーザーの足部に緊迫するためのエラスティックバンドが設けられている第１開口端を有する円筒状部と、
前記円筒状部から延びており、前記第１開口端から遠ざかった側に位置し、前記円筒状部の裏側との開角が９０度よりも大きく、ユーザーの靴に対応し、前記靴の靴底に対応する第２開口端を有し、前記第２開口端にエラスティックバンドが設けられている延長部と、を含むことを特徴とする、
シューズ用レインカバー。
【請求項２】
前記第１開口端はユーザーの膝よりも高いことを特徴とする、請求項１に記載のシューズ用レインカバー。
【請求項３】
前記円筒状部の長さは前記延長部の長さよりも長いことを特徴とする、請求項１に記載のシューズ用レインカバー。
【請求項４】
前記円筒状部と前記延長部は一体成形されることを特徴とする、請求項１に記載のシューズ用レインカバー。
【請求項５】
前記円筒状部と前記延長部との材料は、ナイロン防水シート、又は弾性付き防水シートを採用することを特徴とする、請求項１に記載のシューズ用レインカバー。
【考案の詳細な説明】
【技術分野】
【０００１】
本考案は、靴カバーに関し、特に、雨が降っているときに、ユーザーの靴が着用されている足部を差し込んで着用して、靴が雨水に濡れられないシューズ用レインカバーに関するものである。
【背景技術】
【０００２】
台湾は降水が多いため、雨が降る時期にレインコートや傘を利用しても、雨水がユーザーの靴を濡らす。雨水に濡れた靴を着用すると、足部が不快適となり、更に、足部が皮膚病を感染する可能性がある。このような問題を解決するために、各種類のレインブーツが開発されて市販されている。
【０００３】
しかしながら、市販しているレインブーツは、体積が大きくて重いため、携帯性が良くなく、レインブーツの着用及び脱ぎが極めて不便であり、ユーザーが室内に入りたいときには、レインブーツを置く場所を探す必要があるため、多くのユーザーは、靴が雨水に濡れても、レインブーツを着用したくない。
【考案の概要】
【考案が解決しようとする課題】
【０００４】
本考案の主な目的は、降水しているときに着用することが可能であり、着用、脱ぎ、携帯及び収納が便利となるシューズ用レインカバーを提供することにある。
【課題を解決するための手段】
【０００５】
本考案のシューズ用レインカバーによると、ユーザーの靴が着用されている足部を挿入可能であり、ユーザーの足部に緊迫するためのエラスティックバンドが設けられている第１開口端を有する円筒状部と、円筒状部から延びており、第１開口端から遠ざかった側に位置し、円筒状部の裏側との開角が９０度よりも大きく、ユーザーの靴に対応し、靴の靴底に対応する第２開口端を有し、第２開口端にエラスティックバンドが設けられている延長部と、を含むことを特徴とする。
【０００６】
本考案のシューズ用レインカバーによると、第１開口端はユーザーの膝よりも高いことを特徴とする。
【０００７】
本考案のシューズ用レインカバーによると、円筒状部の長さは延長部の長さよりも大きいことを特徴とする。
【０００８】
本考案のシューズ用レインカバーによると、円筒状部と延長部は一体成形されることを特徴とする。
【０００９】
本考案のシューズ用レインカバーによると、円筒状部と延長部との材料は、ナイロン防水シート、又は弾性付き防水シートを採用することを特徴とする。
【考案の効果】
【００１０】
本考案のシューズ用レインカバーによれば、次のような効果がある。
（１）本考案のシューズ用レインカバー全体の形態は靴下によく類似し、ユーザーは、円筒状部の第１開口端から足部を容易に差し込むことが可能であり、靴を延長部に位置することが可能なため、従来のものに比べて、着用及び脱ぎが便利となり、折畳んで収納することが可能であり、携帯性が極めて良い。
【００１１】
（２）円筒状部の裏側と延長部の開角が９０度よりも大きく、円筒状部と延長部の間に円弧を有するため、本考案のシューズ用レインカバーを靴の輪郭に合わせることが可能であり、円筒状部の第１開口端がユーザーの膝よりも高く、第１開口端にエラスティックバンドが設けられており、エラスティックバンドがユーザーの大腿を緊迫するため、着用時に、本考案のシューズ用レインカバーの第１開口端が下方へ容易に降下することはない。
【００１２】
（３）延長部に第２開口端が設けられているため、延長部は開放式の設計である。これにより、ユーザーの靴底の一部が床面に接触し、第２開口端にエラスティックバンドが設けられているため、ユーザーが走行しているときに、延長部と床面の摩擦力が増加する。このように、滑り止め効果が良く、降水時に本考案のシューズ用レインカバーを着用して走行しても、ユーザーが滑って倒れることはない。
【図面の簡単な説明】
【００１３】
【図１】本考案の一実施例を示す外観図である。
【図２】本考案の一実施例の使用状態を示す模式図である。
【図３】本考案の一実施例の使用状態を示す模式図であって、円筒状部の第１開口端がユーザーの膝よりも高いことを示す。
【図４】本考案の延長部の第２開口端が靴底に対応する状態を示す模式図である。
【考案を実施するための形態】
【００１４】
以下、本考案の実施の形態を図面に基づいて説明する。
図１から図４を参照する。図１は本考案の一実施例を示す外観図であり、図２は本考案の一実施例の使用状態を示す模式図であり、図３は、本考案の一実施例の使用状態を示す模式図であって、円筒状部の第１開口端がユーザーの膝よりも高いことを示し、図４は本考案の延長部の第２開口端が靴底に対応する状態を示す模式図である。本実施例のシューズ用レインカバー１００は、円筒状部１０と、延長部２０と、を含む。
【００１５】
円筒状部１０は、ユーザーの靴３００が着用されている足部２００を挿入可能であり、ユーザーの足部２００に緊迫するためのエラスティックバンド１２が設けられている第１開口端１１を有する。第１開口端１１は、図３に示すように、ユーザーの膝よりも高い。
【００１６】
延長部２０は、円筒状部１０から延びており、第１開口端１１から遠ざかった側に位置し、円筒状部１０の裏側との開角が９０度よりも大きいため、円筒状部１０と延長部２０の間に円弧を有する。
シューズ用レインカバー１００全体の形態は靴下によく類似する。延長部２０はユーザーの靴３００に対応する。円筒状部１０と延長部２０は一体成形される。円筒状部１０と延長部２０との材料は、ナイロン防水シート、又は弾性付き防水シートを採用する。円筒状部１０の長さは、延長部２０の長さよりも長い。
【００１７】
延長部２０は、靴底３０１に対応する第２開口端２１を有する。第２開口端２１にエラスティックバンド２２が設けられている。
【００１８】
シューズ用レインカバー１００は、全体の形態が靴下によく類似するため、利用したくないときに、折畳んで容易に収納することが可能であり、例えば引出、カバンやモーターサイクルの物置空間などに入れて収納することが可能である。
降水時には、シューズ用レインカバー１００を取り出して、円筒状部１０の第１開口端１１から足部２００を差し込んで、靴３００を延長部２０に位置させる。このように、シューズ用レインカバー１００は、従来のものに比べて、着用及び脱ぎに便利であり、折畳んで収納することが可能であり、携帯性が極めて良い。
【００１９】
円筒状部１０と延長部２０の間に円弧を有するため、シューズ用レインカバー１００が靴の輪郭に合わせることが可能であり、円筒状部１０の第１開口端１１がユーザーの膝よりも高く、第１開口端１１にエラスティックバンド１２が設けられており、エラスティックバンド１２がユーザーの大腿を緊迫するため、着用時に、シューズ用レインカバー１００の第１開口端１１が下方へ容易に降下することはない。
【００２０】
延長部２０に第２開口端２１が設けられているため、延長部２０は開放式の設計である。これにより、ユーザーの靴底３０１の一部が床面に接触し、そして第２開口端２１にエラスティックバンド２２が設けられているため、ユーザーが走行しているときに、延長部２０と床面の摩擦力が増加する。このように、滑り止め効果が良く、降水しているときに、シューズ用レインカバー１００を着用して走行しても、ユーザーが滑って倒れることはない。
【００２１】
本考案は、靴カバーに適用することができる。
【符号の説明】
【００２２】
１０    円筒状部
１１    第１開口端
１２    エラスティックバンド
２０    延長部
２１    第２開口端
２２    エラスティックバンド
１００  シューズ用レインカバー
２００  足部
３００  靴
３０１  靴底
【図１】
0003196211.tif 000003
【図２】
0003196211.tif 000004
【図３】
0003196211.tif 000005
【図４】
0003196211.tif 000006